(57)【特許請求の範囲】
【請求項１】
下記一般式（１）で表されるビイミダゾール化合物からなることを特徴とするフォトクロミック材料。
【化１】
0005747735.tif 000026
（式中、Ｒ４及びＲ５はそれぞれ独立してハロゲン原子又はアルキル基を示し、Ｒ１〜Ｒ３及びＲ６〜Ｒ８はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。Ｒ４は、Ｒ３と共に、縮合した置換又は無置換のアリール環を形成してもよく、Ｒ５は、Ｒ６と共に、縮合した置換又は無置換のアリール環を形成してもよい。）
【請求項２】
前記一般式（１）中、Ｒ４及びＲ５がメチル基である請求項１に記載のフォトクロミック材料であって、下記一般式（２）で表されることを特徴とするフォトクロミック材料。
【化２】
0005747735.tif 000027
（式中Ｒ１〜Ｒ３及びＲ６〜Ｒ８はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。）
【請求項３】
前記一般式（１）中、Ｒ４は、Ｒ３と共に、縮合した置換又は無置換のベンゼン環を形成し、Ｒ５は、Ｒ６と共に、縮合した置換又は無置換のベンゼン環を形成する請求項１に記載のフォトクロミック材料であって、下記一般式（３）で表されることを特徴とするフォトクロミック材料。
【化３】
0005747735.tif 000028
（式中Ｒ１〜Ｒ２及びＲ７〜Ｒ１４はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。）
【発明の詳細な説明】
【技術分野】
【０００１】
本発明はフォトクロミック材料に関し、特に新規なビイミダゾール化合物からなるフォトクロミック材料に関する。
【背景技術】
【０００２】
フォトクロミック材料は一般に、光を照射することによって異性化反応を引き起こし、色（可視光の透過率）を可逆的に変化させる機能（調光機能）を有する材料であり、光照射前の材料のみならず、光照射後に生成される材料もフォトクロミック材料と呼ばれる。このため、フォトクロミック材料は、まぶしさを防ぐためのメガネや、光スイッチ、または表示・非表示の切り替え能を有するインクなどの表示材料として利用される。また、光ディスクなどの記録材料やホログラムとしての応用も研究されている。
【０００３】
フォトクロミック材料による色の変化は一般的に、光照射による材料の可逆的な化学変化によって発現される。代表的なフォトクロミック材料としては、スピロピラン系化合物、スピロオキサジン系化合物、ナフトピラン系化合物、フルギド系化合物およびジアリールエテン系化合物などが知られている（例えば下記非特許文献１）。また近年は高速な光応答性を有する新しい構造の化合物も報告されている（例えば下記非特許文献２）。
【先行技術文献】
【非特許文献】
【０００４】
【非特許文献１】「フォトクロミック材料の開発」  監修：市村國宏  発行：株式会社シーエムシー  （ｐ1〜ｐ80）
【非特許文献２】Journalof the American Chemical Society 131(12), pp4227-4229 (2009)
【発明の概要】
【発明が解決しようとする課題】
【０００５】
ところで、調光機能にはその用途に適した色や発色濃度や発色速度などの特性が求められる。そのため、様々な種類の誘導体や新しい分子骨格を有する化合物の開発が必要である。
【０００６】
従って、新たな構造を有するフォトクロミック材料が求められていた。
【０００７】
本発明の目的は、光照射により可逆的な構造変化（色変化）を呈する新しい構造のフォトクロミック材料を提供することにある。
【課題を解決するための手段】
【０００８】
本発明者らは、上記課題を解決するため鋭意研究を重ねた結果、全く新しいフォトクロミック分子を見出した。具体的には、本発明者らは、ビイミダゾールを基本骨格とし、一般式（１）のＲ４およびＲ５に嵩高い置換基を導入することでフォトクロミズムを示す新しい化合物を見出した。
【化１】
0005747735.tif 000002
（式中、Ｒ４及びＲ５はそれぞれ独立してハロゲン原子又はアルキル基を示し、Ｒ１〜Ｒ３及びＲ６〜Ｒ８はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。Ｒ４は、Ｒ３と共に、縮合した置換又は無置換のアリール環を形成してもよく、Ｒ５は、Ｒ６と共に、縮合した置換又は無置換のアリール環を形成してもよい。）
【０００９】
即ち本発明は、上記一般式（１）で表されるビイミダゾール化合物からなることを特徴とするフォトクロミック材料である。
【００１０】
本発明のフォトクロミック材料は、図１に示すように、光照射を続けることによって一般式（１）で表される構造を維持することができ、遮光状態で放置することにより、熱エネルギー変化によって異性体(Ｉ)に変化させることが可能となり、透過率を低下させて着色体とすることが可能となる。尚、図１において、Δは遮光状態における熱エネルギー変化を表す。
【発明の効果】
【００１１】
本発明が提供するフォトクロミック材料は、遮光することにより容易に消色体から着色体へと色調を変化させることができる。この性質はフォトクロミック材料が利用されているあらゆる用途への適用が考えられるものである。具体的な用途としては、光スイッチ、印刷用材料、記録材料、ホログラム材料などがある。しかも、本発明のフォトクロミック材料は従来のフォトクロミズムを示す分子と全く構造が異なるので、フォトクロミズムを利用したデバイス開発に新しい選択肢を提供することができる。
【図面の簡単な説明】
【００１２】
【図１】一般式（１）で表される本発明のフォトクロミック材料が光照射又は遮光により採り得る構造を示す図である。
【図２】一般式（１）においてＲ４及びＲ５がそれぞれ独立してハロゲン原子又はアルキル基を示すフォトクロミック材料が光照射又は遮光により採り得る構造を示す図である。
【図３】実施例１に係る化合物［１］の光照射状態及び遮光状態の紫外可視吸収スペクトルを示すグラフである。
【図４】実施例２に係る化合物［２］の光照射状態及び遮光状態の紫外可視吸収スペクトルを示すグラフである。
【図５】実施例３に係る化合物［３］の光照射状態及び遮光状態の紫外可視吸収スペクトルを示すグラフである。
【図６】実施例４に係る化合物［４］の光照射状態及び遮光状態の紫外可視吸収スペクトルを示すグラフである。
【図７】実施例５に係る化合物［５］の光照射状態及び遮光状態の紫外可視吸収スペクトルを示すグラフである。
【図８】比較例１に係る化合物［６］の光照射状態及び遮光状態の紫外可視吸収スペクトルを示すグラフである。
【発明を実施するための形態】
【００１３】
本発明のフォトクロミック材料は、一般式（１）で表されるビイミダゾール化合物のＲ４、Ｒ５の両部位に立体的に嵩高い置換基を導入することでスピロ環構造を持った構造を得るものである。
【００１４】
Ｒ４、Ｒ５の両部位の嵩高い置換基としては、ハロゲン原子又はアルキル基が挙げられる。この場合、一般式（１）で表されるフォトクロミック材料は、光照射を続けることによって一般式（１）で表される構造を維持することができ、図２に示すように、遮光状態にすることによって、異性体(Ｉ)にも異性体（ＩＩ）にも変化することが可能となる。通常、異性体（Ｉ）は着色体であり、透過率が低く、異性体(ＩＩ)も、発色体であるが、異性体（Ｉ）とは透過率が異なる。一般式（１）で表されるフォトクロミック材料は消色体であり、異性体（Ｉ）及び異性体（ＩＩ）とは透過率が異なる。従って、フォトクロミック材料の色調を２段階で調整することが可能である。尚、図２においても、Δは遮光状態における熱エネルギー変化を表す。
上記置換基は、アルキル基のうちの最も小さいメチル基であってもよい。即ち、フォトクロミック材料は、下記一般式（２）で表されるものであってもよい。
【化２】
0005747735.tif 000003
【００１５】
一般式（１）において、Ｒ４は、Ｒ３と共に、縮合した置換又は無置換のアリール環を形成し、且つ、Ｒ５は、Ｒ６と共に、縮合した置換又は無置換のアリール環を形成するものであってもよい。ここで、アリール環がベンゼン環であることが好ましい。この場合のフォトクロミック材料は、下記一般式（３）で表される。下記一般式（３）で表されるフォトクロミック材料は通常、遮光状態にすることで異性体(Ｉ)になり得るが、図２に示される異性体（ＩＩ）にはならない。
【化３】
0005747735.tif 000004
（式中Ｒ１〜Ｒ２及びＲ７〜Ｒ１４はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。）
【００１６】
本発明のフォトクロミック材料は、例えば下記一般式（４）で表される２，２’−ジホルミルビフェニル誘導体と下記一般式（５）及び（６）で表されるジアリールエタンジオン誘導体とを窒素化合物の存在下に反応させてイミダゾール環を含む中間体を得た後にその中間体を酸化反応させ、図１に示す異性体(Ｉ)を得た後、この異性体(Ｉ)に可視光を照射することで得られる。ここで、一般式（４）で表される２，２’−ジホルミルビフェニル誘導体に代えて、２，２’−ジホルミル−１，１’−ビナフタレン誘導体を用いることもできる。また２，２’−ジホルミルビフェニル誘導体には、２，２’−ジホルミルビフェニルは含まれない。２，２’−ジホルミルビフェニルが含まれると、異性体(Ｉ)が得られず、その結果、本発明のフォトクロミック材料が得られなくなるためである。尚、本発明のフォトクロミック材料は、二つのホルミル基に異なるジアリールエタンジオン誘導体を反応させることによっても得られる。本発明の効果は、本発明の構造体分子を得られるのであればどのような合成ルートをとっていてもよく、合成ルートによって何ら限定されるものではない。
【００１７】
【化４】
0005747735.tif 000005
（式中Ｒ４及びＲ５はそれぞれ独立してハロゲン原子又はアルキル基を示し、Ｒ１〜Ｒ３及びＲ６〜Ｒ８はそれぞれ独立して水素原子、ハロゲン原子、アルキル基、フルオロアルキル基、ヒドロキシル基、アルコキシル基、アミノ基、アルキルアミノ基、アルキルカルボニル基、ニトロ基、シアノ基又はアリール基を示す。Ａｒ１〜Ａｒ４はそれぞれ独立して置換又は無置換のアリール基を示す。Ｒ４は、Ｒ３と共に、縮合した置換又は無置換のアリール環を形成してもよく、Ｒ５は、Ｒ６と共に、縮合した置換又は無置換のアリール環を形成してもよい。）
【化５】
0005747735.tif 000006
（式中Ａｒ１、Ａｒ２はそれぞれ独立して置換又は無置換のアリール基を示す。）
【化６】
0005747735.tif 000007
（式中Ａｒ３、Ａｒ４はそれぞれ独立して置換又は無置換のアリール基を示す。）
【００１８】
上記一般式（１）で表される本発明のフォトクロミック材料の合成原料に使用する２，２’−ジホルミルビフェニル誘導体は、６，６’位に立体的に大きな置換基を有することが好ましい。このような２，２’−ジホルミルビフェニル誘導体としては、例えば６，６’ジメチル−２，２’−ジホルミルビフェニル、６，６’ジエチル−２，２’−ジホルミルビフェニル、６，６’ジメチル−２，２’−ジ−ｎプロピルビフェニル、６，６’ジメチル−２，２’−ジイソプロピルビフェニル、６，６’ジメチル−２，２’−ジ−ｎブチルビフェニル、６，６’ジメチル−２，２’−ジイソブチルビフェニル、６，６’ジメチル−２，２’−ジ−ｔｅｒｔブチルビフェニル、６，６’ジトリフルオロメチル−２，２’−ジホルミルビフェニル、４，４’ジヒドロキシ−６，６’−ジメチル−２，２’−ジホルミルビフェニル、４，４’ジメトキシ−６，６’−ジメチル−２，２’−ジホルミルビフェニル、４，４’ジアセトキシ−６，６’−ジメチル−２，２’−ジホルミルビフェニル、４，４’ジアミノ−６，６’−ジメチル−２，２’−ジホルミルビフェニル、４，４’ビス（ジメチルアミノ）−６，６’−ジメチル−２，２’−ジホルミルビフェニル、４，４’ジフルオロ−６，６’−ジメチル−２，２’−ジホルミルビフェニル、４，４’ジクロロ−６，６’−ジメチル−２，２’−ジホルミルビフェニル、４，４’ジブロモ−６，６’−ジメチル−２，２’−ジホルミルビフェニル、４，４’ジヨード−６，６’−ジメチル−２，２’−ジホルミルビフェニル、４，４’ジニトロ−６，６’−ジメチル−２，２’−ジホルミルビフェニル、４，４’ジシアノ−６，６’−ジメチル−２，２’−ジホルミルビフェニル、４，４’ジメトキシカルボニル−６，６’−ジメチル−２，２’−ジホルミルビフェニル、３，３’，６，６’−テトラメチル−２，２’−ジホルミルビフェニル、４，４’，６，６’−テトラメチル−２，２’−ジホルミルビフェニル、５，５’，６，６’−テトラメチル−２，２’−ジホルミルビフェニル、６，６’−ジクロロ−２，２’−ジホルミルビフェニル、６，６’−ジブロモ−２，２’−ジホルミルビフェニル、６，６’−ジヨード−２，２’−ジホルミルビフェニル、４，４’，６，６’−テトラクロロ−２，２’−ジホルミルビフェニル、４，４’，６，６’−テトラブロモ−２，２’−ジホルミルビフェニル、４，４’−ジフルオロ−６，６’−ジクロロ−２，２’−ジホルミルビフェニル、４，４’−ジフルオロ−６，６’−ジブロモ−２，２’−ジホルミルビフェニル、４，４’−ジフルオロ−６，６’−ジヨード−２，２’−ジホルミルビフェニル、３，３’，４，４’，５，５’−ヘキサフルオロ−６，６’−ジブロモ−２，２’−ジホルミルビフェニル、５，５’ジメトキシ−４，４’，６，６’−テトラメチル−２，２’−ジホルミルビフェニル、などが例示できるが、これらに限定されるものではない。
【００１９】
また、２，２’−ジホルミル−１，１’−ビナフタレン誘導体としては、２，２’−ジホルミル−１，１’−ビナフタレン、３，３’−ジブロモ−２，２’−ジホルミル−１，１’−ビナフタレン、４，４’−ジブロモ−２，２’−ジホルミル−１，１’−ビナフタレン、６，６’−ジブロモ−２，２’−ジホルミル−１，１’−ビナフタレン、３，３’−ジクロロ−２，２’−ジホルミル−１，１’−ビナフタレン、３，３’−ジヨード−２，２’−ジホルミル−１，１’−ビナフタレン、３，３’−ジメトキシメチル−２，２’−ジホルミル−１，１’−ビナフタレン、３，３’−ジフェニル−２，２’−ジホルミル−１，１’−ビナフタレン、６，６’−ジメトキシカルボニル−２，２’−ジホルミル−１，１’−ビナフタレン、４，４’−ジシアノ−２，２’−ジホルミル−１，１’−ビナフタレン、７，７’−ジヒドロキシ−２，２’−ジホルミル−１，１’−ビナフタレン、７，７’−ジメトキシ−２，２’−ジホルミル−１，１’−ビナフタレン、７，７’−ビス（メタクロロベンジロキシ）−２，２’−ジホルミル−１，１’−ビナフタレン、６，６’−ジブロモ−３，３’−ジメトキシ−２，２’−ジホルミル−１，１’−ビナフタレン、３，３’−ジメトキシカルボニル−４，４’−ジヒドロキシ−２，２’−ジホルミル−１，１’−ビナフタレン、３，３’，６，６’−テトラフェニル−２，２’−ジホルミル−１，１’−ビナフタレン、６，６’−ジメチル−７，７’−ジヒドロキシ−２，２’−ジホルミル−１，１’−ビナフタレン、６，６’−ジメチル−７，７’−ビス（メタクロロベンジロキシ）−２，２’−ジホルミル−１，１’−ビナフタレン、３，３’，４，４’−テトラヒドロキシ−２，２’−ジホルミル−１，１’−ビナフタレン、３，３’−ジメトキシ−４，４’−ジアミノ−２，２’−ジホルミル−１，１’−ビナフタレン、６，６’−ジメチル−７，７’−ジヒドロキシ−２，２’−ジホルミル−１，１’−ビナフタレン、６−メトキシカルボニルエチル−２，２’−ジホルミル−１，１’−ビナフタレンなどが例示できるが、これらに限定されるものではない。
【００２０】
本発明のフォトクロミック材料の原料に使用する一般式（５）及び（６）で表されるジアリールエタンジオン誘導体としては、例えば２−フルオロベンジル、３−フルオロベンジル、４−フルオロベンジル、２−クロロベンジル、３−クロロベンジル、４−クロロベンジル、２−ブロモベンジル、３−ブロモベンジル、４−ブロモベンジル、２−ヨードベンジル、３−ヨードベンジル、４−ヨードベンジル、２−ヒドロキシベンジル、３−ヒドロキシベンジル、４−ヒドロキシベンジル、２−メトキシベンジル、３−メトキシベンジル、４−メトキシベンジル、２−エトキシベンジル、３−エトキシベンジル、４−エトキシベンジル、２−フェノキシベンジル、３−フェノキシベンジル、４−フェノキシベンジル、２−アセトキシベンジル、３−アセトキシベンジル、４−アセトキシベンジル、２−メチルベンジル、３−メチルシベンジル、４−メチルベンジル、２−カルボキシベンジル、３−カルボキシベンジル、４−カルボキシベンジル、２−（メチルカルボキシ）ベンジル、３−（メチルカルボキシ）ベンジル、４−（メチルカルボキシ）ベンジル、２−（フェニルカルボキシ）ベンジル、３−（フェニルカルボキシ）ベンジル、４−（フェニルカルボキシ）ベンジル、２−ニトロベンジル、３−ニトロベンジル、４−ニトロベンジル、２−シアノベンジル、３−シアノベンジル、４−シアノベンジル、２−メチルチオベンジル、３−メチルチオベンジル、４−メチルチオベンジル、２−フェニルチオベンジル、３−フェニルチオベンジル、４−フェニルチオベンジル、２−フェニルアセチレニルベンジル、３−フェニルアセチレニルベンジル、４−フェニルアセチレニルベンジル、２−スチリルベンジル、３−スチリルベンジル、４−スチリルベンジル、２−フェニルメチルベンジル、３−フェニルメチルベンジル、４−フェニルメチルベンジル、２−アミノベンジル、３−アミノベンジル、４−アミノベンジル、２−ジメチルアミノベンジル、３−ジメチルアミノベンジル、４−ジメチルアミノベンジル、２−ブロモメチルベンジル、３−ブロモメチルベンジル、４−ブロモメチルベンジル、２−メトキシメチルベンジル、３−メトキシメチルベンジル、４−メトキシメチルベンジル、２−（Ｎ−メチルアミノカルボニル）ベンジル、３−（Ｎ−メチルアミノカルボニル）ベンジル、４−（Ｎ−メチルアミノカルボニル）ベンジル、２−（Ｎ−フェニルアミノカルボニル）ベンジル、３−（Ｎ−フェニルアミノカルボニル）ベンジル、４−（Ｎ−フェニルアミノカルボニル）ベンジル、２−トリフルオロメチルベンジル、３−トリフルオロメチルベンジル、４−トリフルオロメチルベンジル、３，４−メチレンジオキシベンジル、３，４−エチレンジオキシベンジル、３，４−エチレンジチオベンジル、２，４−ジヒドロキシベンジル、２，４−ジメチルベンジル、２，３−ジメチルベンジル、３，４−ジメチルベンジル、３，４−ジメトキシベンジル、２，４−ジメトキシベンジル、２，４−ジニトロベンジル、２−メチル−３−ニトロベンジル、２−メトキシ−３−ニトロベンジル、２−クロロ−４−メトキシベンジル、３−クロロ−４−アミノベンジル、２，３−ジクロロベンジル、３，４−ジクロロベンジル、２−ジフルオロメチル−３−メチルベンジル、３−フルオロ−４−ブロモベンジル、３，５−ジメトキシベンジル、３，５−ジフルオロベンジル、３，４，５−トリメトキシベンジル、４−（２−オキソ−フェニルアセチル）ナフタレン−１，８−ジカルボキシリックアシッドアンハイドライド、１−（９−オキソフルオレン−２−イル）−２−フェニルエタンジオン、１−（４−ニトロフェニル）−３−［４−（２−オキソ−２−フェニルアセチル）フェニル］ウレア、エチル−４−メチル−２−｛［４−（２−オキソ−２−フェニルアセチル）フェニル］カルボニルアミノ｝−１，３−チアゾール−５−カルボキシレート、Ｎ−（２−メトキシ−５−メチルフェニル）［４−（２−オキソ−２−フェニルアセチル）フェニル］カルボキシアミド、Ｎ−（２−メトキシエチル）［４−（２−オキソ−２−フェニルアセチル）フェニル］カルボキシアミド、４−クロロ−２−メチルフェニル−４−（２−オキソ−２−フェニルアセチル）ベンゾエイト、１−フェニル−２−（２−ナフチル）エタンジオン、１−フェニル−２−（１−ナフチル）エタンジオン、１−フェニル−２−［４−（４−ニトロフェノキシ）フェニル］エタンジオン、カルバモイルメチル−４−（２−オキソ−２−フェニルアセチル）ベンゾエイト、１−アセナフテン−５−イル−２−フェニルエタンジオン、２，３，４，５，６−ペンタクロロベンジル、ベンジル、２，２’−ジフルオロベンジル、３，３’−ジフルオロベンジル、４，４’−ジフルオロベンジル、２，２’−ジクロロベンジル、３，３’−ジクロロベンジル、４，４’−ジクロロベンジル、２，２’−ジブロモベンジル、３，３’−ジブロモベンジル、４，４’−ジブロモベンジル、２，２’−ジヨードベンジル、３，３’−ジヨードベンジル、４，４’−ジヨードベンジル、２，２’−ジヒドロキシベンジル、３，３’−ジヒドロキシベンジル、４，４’−ジヒドロキシベンジル、２，２’−ジメトキシベンジル、３，３’−ジメトキシベンジル、４，４’−ジメトキシベンジル、２，２’−ジエトキシベンジル、３，３’−ジエトキシベンジル、４，４’−ジエトキシベンジル、２，２’−ジフェノキシベンジル、３，３’−ジフェノキシベンジル、４，４’−ジフェノキシベンジル、２，２’−ジアセトキシベンジル、３，３’−ジアセトキシベンジル、４，４’−ジアセトキシベンジル、２，２’−ジメチルベンジル、３，３’−ジメチルシベンジル、４，４’−ジメチルベンジル、２，２’−ジカルボキシベンジル、３，３’−ジカルボキシベンジル、４，４’−ジカルボキシベンジル、２，２’−ビス（メチルカルボキシ）ベンジル、３，３’−ビス（メチルカルボキシ）ベンジル、４，４’−ビス（メチルカルボキシ）ベンジル、２，２’−ビス（フェニルカルボキシ）ベンジル、３，３’−ビス（フェニルカルボキシ）ベンジル、４，４’−ビス（フェニルカルボキシ）ベンジル、２，２’−ジニトロベンジル、３，３’−ジニトロベンジル、４，４’−ジニトロベンジル、２，２’−ジシアノベンジル、３，３’−ジシアノベンジル、４，４’−ジシアノベンジル、２，２’−ジメチルチオベンジル、３，３’−ジメチルチオベンジル、４，４’−ジメチルチオベンジル、２，２’−ジフェニルチオベンジル、３，３’−ジフェニルチオベンジル、４，４’−ジフェニルチオベンジル、２，２’−ジフェニルアセチレニルベンジル、３，３’−ジフェニルアセチレニルベンジル、４，４’−ジフェニルアセチレニルベンジル、２，２’−ジスチリルベンジル、３，３’−ジスチリルベンジル、４，４’−ジスチリルベンジル、２，２’−ジフェニルメチルベンジル、３，３’−ジフェニルメチルベンジル、４，４’−ジフェニルメチルベンジル、２，２’−ジアミノベンジル、３，３’−ジアミノベンジル、４，４’−ジアミノベンジル、２，２’−ビス（ジメチルアミノ）ベンジル、３，３’−ビス（ジメチルアミノ）ベンジル、４，４’−ビス（ジメチルアミノ）ベンジル、２，２’−ジブロモメチルベンジル、３，３’−ジブロモメチルベンジル、４，４’−ジブロモメチルベンジル、２，２’−ジメトキシメチルベンジル、３，３’−ジメトキシメチルベンジル、４，４’−ジメトキシメチルベンジル、２，２’−ビス（Ｎ−メチルアミノカルボニル）ベンジル、３，３’−ビス（Ｎ−メチルアミノカルボニル）ベンジル、４，４’−ビス（Ｎ−メチルアミノカルボニル）ベンジル、２，２’−ビス（Ｎ−フェニルアミノカルボニル）ベンジル、３，３’−ビス（Ｎ−フェニルアミノカルボニル）ベンジル、４，４’−ビス（Ｎ−フェニルアミノカルボニル）ベンジル、２，２’−ビス（トリフルオロメチル）ベンジル、３，３’−ビス（トリフルオロメチル）ベンジル、４，４’−ビス（トリフルオロメチル）ベンジル、３，４，３’，４’−ジメチレンジオキシベンジル、３，４，３’，４’−ジエチレンジオキシベンジル、３，４，３’，４’−ジエチレンジチオベンジル、２，２’，４，４’−テトラメチルベンジル、３，３’，４，４’−テトラメトキシベンジル、２，２’，４，４’−テトラメトキシベンジル、２，２’，４，４’−テトラニトロベンジル、２，２’−ジメチル−３，３’−ジニトロベンジル、２，２’−ジメトキシ−３，３’−ジニトロベンジル、２，２’−ジクロロ−４，４’−ジメトキシベンジル、３，３’−ジクロロ−４，４’−ジアミノベンジル、２，２’，３，３’−テトラクロロベンジル、３，３’，４，４’−テトラクロロベンジル、２，２’−ビス（ジフルオロメチル）−３，３’−ジメチルベンジル、３，３’−ジフルオロ−４，４’−ジブロモベンジル、３，３’，５，５’−テトラメトキシベンジル、３，３’，５，５’−テトラフルオロベンジル、３，３’，４，４’，５，５’−ヘキサメトキシベンジル、４，４’−ビス（３−メチル−３−ヒドロキシ−１−ブチニル）ベンジル、４，４’−ジフェニルベンジル、４，４’−ビス（Ｎ−モルフォリニル）ベンジル、１，２−ビス（２，３，６，７−テトラヒドロ−１Ｈ，５Ｈ−ピリド[３，２，１−ｉｊ]キノリン−９−イル）エタンジオン、３，３’−ジニトロ−４，４’−ジクロロベンジル、３，３’−ジニトロ−４，４’−ジメトキシベンジル、３，３’−ジニトロ−４，４’−ジブロモベンジル、４−メチル−４’−クロロベンジル、２−クロロ−３’，４’−ジメトキシベンジル、２，４’−ジブロモベンジル、２，３，４，５，６−ペンタクロロ−２’，３’，４’，５’，６���ペンタフルオロベンジルなどが挙げられるが、これらに限定されるものではない。
【００２１】
一般式（４）で表される２，２’−ジホルミルビフェニル誘導体と一般式（５）及び（６）で表されるジアリールエタンジオン誘導体とを反応させるための温度は、触媒の有無及び使用する触媒によって異なるため一概には言えないが、例えば触媒を使用せず溶媒として酢酸を使用する場合、反応温度は、通常８０〜１２０℃であり、好ましくは１００〜１２０℃である。また触媒として、例えばＺｒＣｌ４やヨウ素を使用した場合、反応温度は、触媒の存在下、２０℃〜７５℃とすることができる。
【００２２】
反応時間も、触媒の有無及び使用する触媒によって異なるため一概には言えないが、例えば触媒を使用せず溶媒として酢酸を使用する場合、反応温度は４〜３２時間であり、好ましくは１２〜２４時間である。また、触媒として例えばＺｒＣｌ４やヨウ素を使用した場合は、反応時間は、触媒存在下、１〜１０時間とすることができる。
【００２３】
上記窒素化合物としては、例えば酢酸アンモニウム及びアンモニアなどが挙げられるが、中でも、加熱時に揮発しにくいという理由から、酢酸アンモニウムが好ましい。
【００２４】
上記反応の溶媒としては、原料を溶解できるものであれば特に制限なく使用可能である。このような溶媒としては、例えば酢酸、アセトニトリルのような極性溶媒が好ましい。
【００２５】
中間体の酸化反応は、例えば中間体を溶媒中に溶解させて溶液を調製し、この溶液に酸化剤を加えることによって行うことができる。
【００２６】
溶媒は、中間体を溶解できるものであれば特に制限なく使用可能である。このような溶媒としては、例えばベンゼン、塩化メチレンなどを用いることができる。
【００２７】
酸化剤は、中間体を酸化して異性体(Ｉ)を得ることができるものであれば特に制限なく使用可能である。このような酸化剤としては、例えばフェリシアン化カリウム、酸化鉛が挙げられるが、中でも、フェリシアン化カリウムが好ましい。これは、フェリシアン化カリウムの反応性がより高いためである。
【００２８】
尚、上記溶液には、酸化剤のほか、さらに塩基を添加する。このような塩基としては、例えば水酸化カリウムなどを用いることができる。
【００２９】
酸化反応は、不活性ガス雰囲気下、遮光条件下で行うことが好ましい。不活性ガス雰囲気とするのは、酸素との反応抑制のためである。不活性ガスとしては、例えば窒素を用いることが可能である。遮光条件下で酸化反応を行うことが好ましいのは、得られる異性体(Ｉ)が可視光によって着色体から消色体に変化することを防止するためである。
【００３０】
異性体(Ｉ)に照射する光は、異性体(Ｉ)の可視光の波長域における最大吸収波長を含む波長域の光であればよい。光の照射時間は、光の強度にもよるが、通常は１０〜６００秒であり、好ましくは３０〜３００秒である。
【００３１】
光照射時の温度は好ましくは３０℃以下であり、より好ましくは０℃以下である。また光照射時の温度が３０℃以下であると、３０℃を超える場合に比べて、異性体(Ｉ)からの本発明のフォトクロミック材料の生成効率がより向上する。但し、光照射時の温度は、上記溶媒の融点よりも高い温度とすることが好ましい。すなわち、光照射は、上記溶媒が固体とならない状態で行うことが好ましい。
【００３２】
なお、図１に示す２種類の化合物は熱異性化反応を起こすため、一般式（１）で表されるフォトクロミック材料は、必ずしもそれ単独で存在するとは限らず、異性体(Ｉ)と一般式（１）とが混合した状態にもなり得る。具体的には、異性体(Ｉ)に光を照射すると、一般式（１）で表されるフォトクロミック材料が生成されるが、このフォトクロミック材料は、光照射時の構造、即ち異性体(Ｉ)への戻り反応が熱的な反応で進行するため、異性体(Ｉ)と一般式（１）とが混合した状態にもなり得る。同様に、図２に示す３種類の化合物は熱異性化反応を起こすため、一般式（１）で表されるフォトクロミック材料は、必ずしもそれ単独で存在するとは限らず、異性体(Ｉ)と異性体（ＩＩ）と一般式（１）とが混合した状態にもなり得る。
【実施例】
【００３３】
以下、本発明について実施例により具体的に説明するが、本発明は下記実施例に限定されるものではない。
【００３４】
以下の合成例１〜６で使用するベンジル、４，４’−ジメトキシベンジル、４，４’−ビス（ジメチルアミノ）ベンジル、４，４’−ジブロモベンジル、酢酸アンモニウム、酢酸、フェリシアン化カリウム、水酸化カリウムとしては、市販の試薬（東京化成工業株式会社製）を用いた。また、ＮＭＲによる測定は特別な記述が無い限り２５℃で行った。
【００３５】
＜合成例１＞
６，６’ジメチル−２，２’−ジホルミルビフェニル１００ｍｇと４，４’−ジメトキシベンジル２７０ｍｇと酢酸アンモニウム９６０ｍｇと酢酸４．０ｍｌを混合し、１１０℃のオイルバスで１６時間加熱攪拌を行い反応させた後に２８％アンモニア水８．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（Ｉ）を２７３ｍｇ得た。ＮＭＲの分析によって中間体（Ｉ）の生成を確認した。尚、ＮＭＲの分析結果は下記の通りである。
１Ｈ‐ＮＭＲ（５００ＭＨｚ  ＣＤＣｌ3）δ8.92(2H  s)、8.38（2H  d）、7.53（2H  t）、7.46（4H  d）、7,40（2H  d）、6.94（4H  d)、6.80（4H  d）、6.75（4H  d）3.78（12H  s）、1.99（6H  s）
【化７】
0005747735.tif 000008
【００３６】
上記の中間体（Ｉ）１２０ｍｇをベンゼン２５ｍｌに溶解させ、フェリシアン化カリウム４．１ｇと水酸化カリウム１．８ｇを３０ｍｌの水に溶解させた溶液を窒素下遮光条件で加えて、室温で２時間撹拌して反応させた後に水層を分離してベンゼンで抽出し、溶媒を濃縮して再結晶を行い、化合物［Ｉ］を含む混合物を１０２ｍｇ、化合物［Ｉ］として２４ｍｇ得た。ＮＭＲの分析によって化合物［Ｉ］の生成を確認した。尚、ＮＭＲの分析は混合物について行ったものであり、化合物［Ｉ］単品のＮＭＲの分析結果は得られていないが、メトキシ基とメチル基の特徴的なピークとＵＶスペクトルにおいて４９６ｎｍに特徴的な吸収帯を示すことから混合物中の化合物［Ｉ］が下記構造式で表されることは明らかと考えられる。
【化８】
0005747735.tif 000009
【００３７】
続いて、化合物［Ｉ］に対し、重クロロホルムに溶解して可視光を２５℃で３００秒間照射した。その後、ＮＭＲの分析によって化合物［１］の生成を確認した。尚、ＮＭＲの分析結果は下記の通りである。
1H-ＮＭＲ(500MHz  CDCl3)；7.43（2H  s)、7.41(4H  d)、7.36(4H  d)、7.13（2Ｈ  t）、6.83(2H  d)、6.80(4H  d)、6.75(4H  d)、3.81(6H  s)、3.77(6H  s)、2.48(6H  s)
13Ｃ-ＮＭＲ(500MHz  CDCl3)；169.9、164.9、161.14、161.09、136.1、135.4、134.9、131.2、130.6、128.3、126.7、125.4、125.0、121.6、113.5、113.3、106.7、55.3、55.2、21.3
【化９】
0005747735.tif 000010
【００３８】
＜合成例２＞
２，２’−ジホルミル−１，１’−ビナフタレン１００ｍｇと４，４’−ジメトキシベンジル１８３ｍｇと酢酸アンモニウム７５０ｍｇと酢酸４．０ｍｌを混合し、１１０℃のオイルバスで１４時間加熱攪拌を行い反応させた後に２８％アンモニア水８．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（ＩＩ）を１５８ｍｇ得た。ＮＭＲの分析によって中間体（ＩＩ）の生成を確認した。尚、ＮＭＲの分析結果は下記の通りである。
１Ｈ‐ＮＭＲ（５００ＭＨｚ  ＣＤＣｌ3）δ8.78（2H  d)、8.45（2H  s）、8.19（2H  d）、8.02（2H  d）7.55-7.51（2H  m）、7.42（4H  d）、7.32-7.30（4H  ｍ）、6.78（4H  d）6.69-6.64（8H  m）、3.77（12H  s）
【化１０】
0005747735.tif 000011
【００３９】
上記の中間体（ＩＩ）８４ｍｇをベンゼン２５ｍｌに溶解させ、フェリシアン化カリウム２．５ｇと水酸化カリウム１．１ｇを２０ｍｌの水に溶解させた溶液を窒素下遮光条件で加えて、室温で２時間撹拌して反応させた後に水層を分離してベンゼンで抽出し、溶媒を濃縮して再結晶を行い、化合物［ＩＩ］を７９ｍｇ得た。ＮＭＲの分析とＸ線結晶構造解析によって化合物［ＩＩ］の生成を確認した。尚、ＮＭＲの分析結果は下記の通りである。
１Ｈ‐ＮＭＲ（５００ＭＨｚ  ＣＤＣｌ3）δ8.24（1H  d)、7.92（1H  d）、7.90（1H  d）、7.77（1H  d）、7.50（2H  d）、7.47-7.42（5H  m）、7.30-7.20（4H  ｍ）、7.09-7.05（1H  m）、6.93（1H  d）、6.89（1H  d）、6.85（2H  d）、6.80（2H  d）6.73（2H  d）、6.54（2H  d）、6.44（2H  d）、3.82（3H  s）、3.81（3H  s）、3.73（3H  s）、3.73（3H  s）
【化１１】
0005747735.tif 000012
【００４０】
続いて、化合物［ＩＩ］に対し、重クロロホルムに溶解して可視光を−７８℃で３００秒間照射した。その後、−５０℃に冷却した条件のＮＭＲの分析によって化合物［２］の生成を確認した。尚、ＮＭＲの分析結果は下記の通りである。
1H-ＮＭＲ(500MHz  CDCl3)；7.97(2H  d)、7.87(2H  d)、7.82(2H  d)、7.56(2H  t)、7.46-7.42(8H  m)、7.41(2H  t)、7.23(2H  d)、6.89(4H  d)、6.75(4H  d)、3.88(6H  s)、3.79(6H  s)
13Ｃ-ＮＭＲ(500MHz  CDCl3)；170.5、165.4、160.7、160.6、137.9、134.0、133.3、132.5、131.4、131.3、130.6、130.5、128.0、125.3、124.6、124.5、123.8、122.4、113.2、112.7、106.3、55.3、55.2
【化１２】
0005747735.tif 000013
【００４１】
＜合成例３＞
２，２’−ジホルミル−１，１’−ビナフタレン１００ｍｇとベンジル１４９ｍｇと酢酸アンモニウム７５０ｍｇと酢酸４．０ｍｌを混合し、１１０℃のオイルバスで１４時間加熱攪拌を行い反応させた後に２８％アンモニア水８．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（ＩＩＩ）を１６２ｍｇ得た。ＮＭＲの分析によって中間体（ＩＩＩ）の生成を確認した。尚、ＮＭＲの分析結果は下記の通りである。
１Ｈ‐ＮＭＲ（５００ＭＨｚ  ＣＤＣｌ3）δ8.76（2H  d)、8.69（2H  s）、8.20（2H  d）、8.04（2H  d）7.56-7.51（2H  m）、7.51-7.49（4H  m）、7.33-7.31（4H  ｍ）、7.24-7.14（12H  m）6.75-6.73（4H  m）
【化１３】
0005747735.tif 000014
【００４２】
上記の中間体（ＩＩＩ）８７ｍｇをベンゼン２５ｍｌに溶解させ、フェリシアン化カリウム２．９ｇと水酸化カリウム１．３ｇを２０ｍｌの水に溶解させた溶液を窒素下遮光条件で加えて、室温で２時間撹拌して反応させた後に水層を分離してベンゼンで抽出し、溶媒を濃縮して再結晶を行い、化合物［ＩＩＩ］を７５ｍｇ得た。ＮＭＲの分析によって化合物［ＩＩＩ］の生成を確認した。尚、ＮＭＲの分析結果は下記の通りである。
１Ｈ‐ＮＭＲ（５００ＭＨｚ  ＣＤＣｌ3）δ8.26（1H  d)、7.93（2H  d）、7.80（1H  d）、7.57（2H  d）、7.47（2H  d）、7.47（2H  d）、7.44（3H  d）、7.40（1H  d）、7.35-7.31（4H  m）、7.30-7.21（3H  m）、7.19-7.15（3H  m）、7.13-7.07（2H  m）、7.01（2H  t）、6.98（1H  d）、6.94（1H  d）、6.55（2H  d）
【化１４】
0005747735.tif 000015
【００４３】
＜合成例４＞
２，２’−ジホルミル−１，１’−ビナフタレン１００ｍｇと４，４’−ビス（ジメチルアミノ）ベンジル２１０ｍｇと酢酸アンモニウム７５０ｍｇと酢酸４．０ｍｌを混合し、１１０℃のオイルバスで１８時間加熱攪拌を行い反応させた後に２８％アンモニア水８．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（ＩＶ）を１１４ｍｇ得た。ＮＭＲの分析によって中間体（ＩＶ）の生成を確認した。尚、ＮＭＲの分析結果は下記の通りである。
１Ｈ‐ＮＭＲ（５００ＭＨｚ  ＣＤＣｌ3）δ8.84（2H  br.s)、8.28（2H  br.s）、8.18（2H  d）、8.00（2H  d）7.51-7.48（2H  m）、7.43（4H  br.s）、7.30-7.28（4H  m）、6.63（8H  br.s）6.49（4H  br.s）、2.91（24H  s）
【化１５】
0005747735.tif 000016
【００４４】
上記の中間体（ＩＶ）８０ｍｇをベンゼン２５ｍｌに溶解させ、フェリシアン化カリウム２．３ｇと水酸化カリウム１．０ｇを２０ｍｌの水に溶解させた溶液を窒素下遮光条件で加えて、室温で２時間撹拌して反応させた後に水層を分離してベンゼンで抽出し、溶媒を濃縮して固体を析出させた。析出した固体をエタノールに溶解させて再結晶を行い、化合物［ＩＶ］を５９ｍｇ得た。ＮＭＲの分析によって化合物［ＩＶ］の生成を確認した。尚、ＮＭＲの分析結果は下記の通りである。
１Ｈ‐ＮＭＲ（５００ＭＨｚ  ＣＤＣｌ3）δ8.23（1H  d)、7.91（1H  d）、7.86（1H  d）、7.74（1H  d）、7.52-7.50（3H  m）、7.47（4H  d）、7.23（1H  t）、7.19-7.17（3H  m）、7.02-6.98（1H  m）、6.89（1H  d）、6.76（1H  d）、6.62（2H  d）、6.59-6.56（4H  m）6.40（2H  d）、6.33（2H  d）、3.00（6H  s）、2.99（6H  s）、2.87（6H  s）、2.86（6H  s）
【化１６】
0005747735.tif 000017
【００４５】
＜合成例５＞
２，２’−ジホルミル−１，１’−ビナフタレン１００ｍｇと４，４’−ジブロモベンジル２６１ｍｇと酢酸アンモニウム７５０ｍｇと酢酸４．０ｍｌを混合し、１１０℃のオイルバスで１８時間加熱攪拌を行い反応させた後に２８％アンモニア水８．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（Ｖ）を２４９ｍｇ得た。ＮＭＲの分析によって中間体（Ｖ）の生成を確認した。尚、ＮＭＲの分析結果は下記の通りである。
１Ｈ‐ＮＭＲ（５００ＭＨｚ  ＣＤＣｌ3）δ8.82（2H  s）、8.62（2H  d)、8.19（2H  d）、8.04（2H  d）7.84-7.82（4H  m）、7.69-7.67（4H  m）、7.56（2H  t）、7.35-7.29（8H  ｍ）、6.61（4H  d）
【化１７】
0005747735.tif 000018
【００４６】
上記の中間体（Ｖ）８０ｍｇをベンゼン１０ｍｌに溶解させ、フェリシアン化カリウム２．０ｇと水酸化カリウム０．９０ｇを１５ｍｌの水に溶解させた溶液を窒素下遮光条件で加えて、室温で２時間撹拌して反応させた後に水層を分離してベンゼンで抽出し、溶媒を濃縮して固体を析出させた。析出した固体をエタノールに溶解させて再結晶を行い、化合物［Ｖ］を２２ｍｇ得た。ＮＭＲの分析によって化合物［Ｖ］の生成を確認した。尚、ＮＭＲの分析結果は下記の通りである。
１Ｈ‐ＮＭＲ（５００ＭＨｚ  ＣＤＣｌ3）δ8.21（1H  d)、7.95（2H  d）、7.83（1H  d）、7.49（2H  d）、7.43（2H  d）、7.40-7.29（12H  ｍ）、7.23（2H  d）、7.16（2H  d）、7.08（1H  d）、6.96（1H  d）6.36（2H  d）
【化１８】
0005747735.tif 000019
【００４７】
＜合成例６＞
２，２’−ジホルミルビフェニル５０ｍｇと４，４’−ジメトキシベンジル１４２ｍｇと酢酸アンモニウム５５０ｍｇと酢酸３．０ｍｌを混合し、１１０℃のオイルバスで２４時間加熱攪拌を行い反応させた後に２８％アンモニア水６．０ｍｌを加えて固体を析出させながら中和して、固体を水洗浄後にろ過して真空乾燥機で乾燥した。乾燥した固体をシリカゲルカラムで分離精製した後に溶媒を濃縮して中間体（ＶＩ）を１３６ｍｇ得た。ＮＭＲの分析によって中間体（ＶＩ）の生成を確認した。尚、ＮＭＲの分析結果は下記の通りである。
１Ｈ‐ＮＭＲ（５００ＭＨｚ  ＣＤＣｌ3）δ9.37(2H  s)、8.31（2H  d）、7.56（2H  t）、7.48-7.38（8H  m）、7,29（2H  d）、7.00（2H  br.s)、6.77（8H  d）3.78（12H  s）
【化１９】
0005747735.tif 000020
【００４８】
上記の中間体（ＶＩ）８９ｍｇをベンゼン３５ｍｌに溶解させ、フェリシアン化カリウム３．２ｇと水酸化カリウム１．４ｇを２５ｍｌの水に溶解させた溶液を窒素下遮光条件で加えて、室温で２時間撹拌して反応させた後に水層を分離してベンゼンで抽出し、溶媒を濃縮して固体を析出させた。析出した固体をエタノールに溶解させて再結晶を行ったがフォトクロミズムを示さない化合物［６］を８６ｍｇ得た。ＮＭＲの分析及びマススペクトルによって化合物［６］の生成を確認した。尚、ＮＭＲの分析結果は下記の通りである。
１Ｈ‐ＮＭＲ（５００ＭＨｚ  ＣＤＣｌ3）δ8.06（2H  d）、7.45（2H  t）、7.42（8H  d）、7,19（2H  t）、6.99（2H  d)、6.79（8H  d）3.80（12H  s）
ＦＤ-ＭＳ  ｍ/ｚ＝７０８（Ｍ+）
【化２０】
0005747735.tif 000021
【００４９】
＜実施例１＞
合成例１で合成した化合物［Ｉ］を含む混合物を用いて１．０×１０−３Ｍのベンゼン溶液を調製した。この溶液を四面石英セルに入れ、可視光を２５℃で３０秒時間照射した。
そして、可視光を引き続き照射したまま、紫外可視吸収スペクトル分析によって化合物［１］（消色体）のスペクトルを測定した。結果を表１及び図３に示す。尚、図３において、実線は化合物［１］のスペクトルを示すものである。
続いて、上記化合物［１］を含むベンゼン溶液について、光照射を止め、遮光下、２５℃で１日間放置した。そして、その状態のベンゼン溶液について、紫外可視吸収スペクトル分析によってスペクトルを測定した。結果を表１及び図３に示す。尚、結果は、図３において破線で示した。上記ベンゼン溶液は、ＮＭＲ分析から、メトキシ基とメチル基の特徴的なピークを持ち、ＵＶスペクトル分析から４９６ｎｍに特徴的な吸収帯を持っていた。このことから、上記ベンゼン溶液が化合物［Ｉ］を含むことは明らかと考えられる。
表１及び図３に示すように、発色体の最大吸収波長４９６ｎｍにおける消色体の透過率は、遮光状態で放置することで、９３％から６０％まで低下することが分かった。
【００５０】
＜実施例２＞
合成例２で合成した化合物［ＩＩ］を用いて２．０×１０−４Ｍのベンゼン溶液を調製した。この溶液を四面石英セルに入れ、可視光を２５℃で３０秒時間照射した。
そして、可視光を引き続き照射したまま、紫外可視吸収スペクトル分析によって化合物［２］（消色体）のスペクトルを測定した。結果を表１及び図４に示す。尚、図４において、実線は化合物［２］のスペクトルを示すものである。
続いて、上記化合物［２］を含むベンゼン溶液について、光照射を止め、遮光下、２５℃で間１０分間放置した。そして、その状態のベンゼン溶液について、紫外可視吸収スペクトル分析によってスペクトルを測定した。結果を表１及び図４に示す。尚、結果は、図４において破線で示した。
表１及び図４に示すように、発色体の最大吸収波長４９３ｎｍにおける化合物［２］（消色体）の透過率は８８％から１７％まで低下していることが分かった。また、図４において破線で示すスペクトルは、化合物［ＩＩ］のスペクトルと同様であった。このことから、化合物［２］は、遮光下で放置することにより、化合物［ＩＩ］に変化することが分かった。
【００５１】
＜実施例３＞
合成例３で合成した化合物［ＩＩＩ］を用いて２．０×１０−４Ｍのベンゼン溶液を調製した。この溶液を四面石英セルに入れ、可視光を２５℃で３０秒時間照射した。このとき、実施例２と同様のＵＶスペクトル変化が見られたことから下記化合物［３］の生成が確認された。
【化２１】
0005747735.tif 000022
そして、可視光を引き続き照射したまま、紫外可視吸収スペクトル分析によって化合物［３］（消色体）のスペクトルを測定した。結果を表１及び図５に示す。尚、図５において、実線は化合物［３］のスペクトルを示すものである。
続いて、上記化合物［３］を含むベンゼン溶液について、光照射を止め、遮光下、２５℃で１０分間放置した。そして、その状態のベンゼン溶液について、紫外可視吸収スペクトル分析によってスペクトルを測定した。結果を表１及び図５に示す。尚、結果は、図５において、破線で示した。
表１及び図５に示すように、発色体の最大吸収波長４７５ｎｍにおける化合物［３］（消色体）の透過率は７３％から１６％まで低下していることが分かった。また、図５において破線で示すスペクトルは、化合物［ＩＩＩ］のスペクトルと同様であった。このことから、化合物［３］は、遮光下で放置することにより、化合物［ＩＩＩ］に変化することが分かった。
【００５２】
＜実施例４＞
合成例４で合成した化合物［ＩＶ］を用いて２．０×１０−４Ｍのベンゼン溶液を調製した。この溶液を四面石英セルに入れ、可視光を２５℃で３０秒時間照射した。このとき、合成例２と同様のＵＶスペクトル変化が見られたことから下記化合物［４］の生成が確認された。
【化２２】
0005747735.tif 000023
そして、可視光を引き続き照射したまま、紫外可視吸収スペクトル分析によって化合物［４］（消色体）のスペクトルを測定した。結果を表１及び図６示す。尚、図６において、実線は化合物［４］のスペクトルを示すものである。
続いて、上記化合物［４］を含むベンゼン溶液について、光照射を止め、遮光下、２５℃で１０分間放置した。そして、その状態のベンゼン溶液について、紫外可視吸収スペクトル分析によってスペクトルを測定した。結果を表１及び図６に示す。尚、結果は、図６において、破線で示した。
表１及び図６に示すように、発色体の最大吸収波長５４４ｎｍにおける化合物［４］（消色体）の透過率は７４％から２３％まで低下していることが分かった。また、図５において破線で示すスペクトルは、化合物［ＩＶ］のスペクトルと同様であった。このことから、化合物［４］は、遮光下で放置することにより、化合物［ＩＶ］に変化することが分かった。
【００５３】
＜実施例５＞
合成例５で合成した化合物［Ｖ］を用いて２．０×１０−４Ｍのベンゼン溶液を調製した。この溶液を四面石英セルに入れ、可視光を２５℃で３０秒時間照射した。このとき、合成例２と同様のＵＶスペクトル変化が見られたことから下記化合物［５］の生成が確認された。
【化２３】
0005747735.tif 000024
そして、可視光を引き続き照射したまま、紫外可視吸収スペクトル分析によって化合物［５］（消色体）のスペクトルを測定した。結果を表１及び図７に示す。尚、図７において、実線は化合物［５］のスペクトルを示すものである。
続いて、上記化合物［５］を含むベンゼン溶液について、光照射を止め、遮光下、２５℃で１０分間放置した。そして、その状態のベンゼン溶液について、紫外可視吸収スペクトル分析によってスペクトルを測定した。結果を表１及び図７に示す。尚、結果は、図７において破線で示した。
表１及び図７に示すように、発色体の最大吸収波長４８６ｎｍにおける消色体の透過率は７４％から３９％まで低下していることが分かった。また、図７において破線で示すスペクトルは、化合物［Ｖ］のスペクトルと同様であった。このことから、化合物［５］は、遮光下で放置することにより、化合物［Ｖ］に変化することが分かった。
【００５４】
＜比較例１＞
合成例６で合成した化合物［６］を用いて２．０×１０−４Ｍのベンゼン溶液を調製した。このベンゼン溶液を四面石英セルに入れ、可視光を２５℃で３０秒時間照射した。
そして、可視光を引き続き照射したまま、紫外可視吸収スペクトル分析によって上記ベンゼン溶液についてスペクトルを測定した。結果を表１及び図８に示す。尚、結果は、図８において、実線で示した。
続いて、上記化合物［６］を含むベンゼン溶液について、光照射を止め、遮光下、２５℃で１０分間放置した。そして、その状態のベンゼン溶液について、紫外可視吸収スペクトル分析によってスペクトルを測定した。結果を表１及び図８に示す。尚、結果は、図８において破線で示した。
表１及び図８に示すように、５００ｎｍにおける消色体の透過率は９３％から変化しないことが分かった。このことから、化合物［６］は、遮光下で放置しても、何ら変化しないことが分かった。
【表１】
0005747735.tif 000025
【００５５】
表１に示す結果より、一般式（１）で表されるビイミダゾール化合物のＲ４およびＲ５に立体的に嵩高い置換基を導入することで、フォトクロミズムが発現する分子が得られた。
【産業上の利用可能性】
【００５６】
本発明のフォトクロミック材料は、遮光下で放置することで、透過率を大きく下げるフォトクロミック特性を示す。この特性を利用して、これまで応用が提案されてきた光スイッチ、印刷用材料、記録材料などの分野で利用できる。例えば、光メモリ素子のマスク層材料として用いれば、再生信号を劣化させることなく高密度記録されたビットから良好な再生信号を得ることが可能となる。しかも、本発明の分子は従来のフォトクロミズムを示す分子と全く構造が異なるので、フォトクロミズムを利用したデバイス開発に新しい選択肢を提供する。
【図１】
0005747735.tif 000029
【図２】
0005747735.tif 000030
【図３】
0005747735.tif 000031
【図４】
0005747735.tif 000032
【図５】
0005747735.tif 000033
【図６】
0005747735.tif 000034
【図７】
0005747735.tif 000035
【図８】
0005747735.tif 000036